(57)【要約】【課題】  呼出装置を充分堅固に取り付けることができ且つ呼出装置に隣接するレンズ体の取付作業を簡単に行うことができる遊技機島台を提供する。【解決手段】  呼出装置７０と装飾レンズ体６０とをベース枠部材２０に取り付けるに際し、装飾レンズ体６０を取り付けた後に、該装飾レンズ体６０の側方部前面を呼出装置７０の両側部に着脱自在に装着される呼出表示部７２で被覆当接するように呼出装置７０の表示本体部７１の取付部である上部固定片７８及び下部固定片をベース枠部材２０に取り付けたので、呼出装置７０が大型化して重量が増加しても、呼出装置７０の表示本体部７１に形成される上部固定片７８及び下部固定片をベース枠部材２０に直接取り付けることができるので、呼出装置７０の取り付けを充分堅固に行うことができ且つベース枠部材２０への呼出装置７０及び装飾レンズ体６０の取付作業の簡略化を図ることができる。【選択図】    図４
2008113884.tif 000002
【特許請求の範囲】
【請求項１】
複数の遊技機が列設される遊技機島台であって、遊技機の上方に形成される幕板領域に前記複数の遊技機のそれぞれに対応する呼出装置が設けられる遊技機島台において、
前記呼出装置は、遊技データ等を表示する表示器を備え且つ前記幕板領域に取り付けるための取付部が形成される表示本体部と、該表示本体部の左右側方から突出するように着脱自在に装着され且つ呼出時に点灯又は点滅する呼出表示部と、からなり、
前記幕板領域には、隣り合う前記呼出装置の間に発光源により装飾される装飾レンズ体を設け、
前記呼出装置と前記装飾レンズ体とを前記幕板領域に取り付けるに際し、前記装飾レンズ体を取り付けた後に、該装飾レンズ体の側方部前面を前記呼出表示部で被覆当接するように前記表示本体部の取付部を前記幕板領域に取り付けたことを特徴とする遊技機島台。
【請求項２】
前記幕板領域には、前面が開放された断面コ字状に形成され且つ前記遊技機島台を構成する骨組みに固定されるベース枠部材が設けられ、
該ベース枠部材の前面の開放部を被覆するように前記装飾レンズ体と前記呼出装置を取り付けたことを特徴とする請求項１記載の遊技機島台。
【請求項３】
前記呼出表示部は、前記表示本体部の側面に形成される取付支柱に対して着脱自在に装着されると共に装着時に回動自在に軸支され、
前記呼出装置と前記装飾レンズ体とを前記ベース枠部材に取り付けたときに、前記呼出表示部の軸支側と反対の先端部分が前記装飾レンズ体の前面に押圧されるように付勢されて当接することを特徴とする請求項２記載の遊技機島台。
【発明の詳細な説明】
【技術分野】
【０００１】
本発明は、複数の遊技機が列設される遊技機島台であって、遊技機の上方に形成される幕板領域に前記複数の遊技機のそれぞれに対応する呼出装置が設けられる遊技機島台に関するものである。
【背景技術】
【０００２】
従来、複数の遊技機が列設される遊技機島台の上部に、それぞれに遊技機に対応する呼出装置が設けられた幕板が遊技機島台の長手方向に沿って設けられたものが知られている。例えば、特開平４−９０７８４号公報（以下、「先行技術文献１」という。）や特開平４−２１００８３号公報（以下、「先行技術文献２」という。）がある。
【０００３】
先行技術文献１には、前面に呼出装置が取り付けられる光透過性のある幕板と、該幕板の裏面側に断面コ字状の幕板を取り付けるための幕板取付部材と、幕板取付部材の空間内に設けられ光透過性のある幕板を照射する発光源と、から構成される遊技機島台が開示されている。また、先行技術文献２には、幕板領域に取り付けられる取付ベースに、呼出装置を含む主レンズ体を着脱自在に取り付け、該主レンズ体と交互に取り付けられる接合レンズ体をビスで取り付けるように構成される遊技機島台が開示されている。
【特許文献１】特開平４−９０７８４号公報（図４）
【特許文献２】特開平４−２１００８３号公報（図５）
【発明の開示】
【発明が解決しようとする課題】
【０００４】
しかし、上記した先行技術文献１に記載される遊技機島台においては、光透過性のある幕板の前面に取り付けられる呼出装置の大型化及び重量の増加により、呼出装置の前方への突出量が大きくなると共に幕板（光透過性のある樹脂材）の強度が不足する事態を招来するという欠点があった。また、先行技術文献２は、上記した先行技術文献１の欠点を解消しているものの、主レンズ体と接合レンズ体とが一方の接合部分で主レンズ体が下方となるように僅かに重複して接合され、他方の接合部分で主レンズ体が上方となるように僅かに重複して接合されているので、主レンズ体と接合レンズ体のそれぞれの端部が正確に接合するように設計しなければならず、また、接合状態を維持するために、主レンズ体と接合レンズ体とをそれぞれ別個に堅固に取付ベースに取り付ける必要があるという欠点があった。
【０００５】
本発明は、上記した事情に鑑みなされたもので、その目的とするところは、大型化する呼出装置を充分堅固に取り付けることができると共に呼出装置に隣接して取り付けられるレンズ体の取付作業を簡単に行うことができる遊技機島台を提供することにある。
【課題を解決するための手段】
【０００６】
上記した目的を達成するために、請求項１に記載の発明においては、複数の遊技機が列設される遊技機島台であって、遊技機の上方に形成される幕板領域に前記複数の遊技機のそれぞれに対応する呼出装置が設けられる遊技機島台において、前記呼出装置は、遊技データ等を表示する表示器を備え且つ前記幕板領域に取り付けるための取付部が形成される表示本体部と、該表示本体部の左右側方から突出するように着脱自在に装着され且つ呼出時に点灯又は点滅する呼出表示部と、からなり、前記幕板領域には、隣り合う前記呼出装置の間に発光源により装飾される装飾レンズ体を設け、前記呼出装置と前記装飾レンズ体とを前記幕板領域に取り付けるに際し、前記装飾レンズ体を取り付けた後に、該装飾レンズ体の側方部前面を前記呼出表示部で被覆当接するように前記表示本体部の取付部を前記幕板領域に取り付けたことを特徴とする。
【０００７】
また、請求項２に記載の発明においては、請求項１記載の遊技機島台において、前記幕板領域には、前面が開放された断面コ字状に形成され且つ前記遊技機島台を構成する骨組みに固定されるベース枠部材が設けられ、該ベース枠部材の前面の開放部を被覆するように前記装飾レンズ体と前記呼出装置を取り付けたことを特徴とする。
【０００８】
また、請求項３に記載の発明においては、請求項２記載の遊技機島台において、前記呼出表示部は、前記表示本体部の側面に形成される取付支柱に対して着脱自在に装着されると共に装着時に回動自在に軸支され、前記呼出装置と前記装飾レンズ体とを前記ベース枠部材に取り付けたときに、前記呼出表示部の軸支側と反対の先端部分が前記装飾レンズ体の前面に押圧されるように付勢されて当接することを特徴とするとする。
【発明の効果】
【０００９】
請求項１に記載の発明においては、呼出装置と装飾レンズ体とを幕板領域に取り付けるに際し、装飾レンズ体を取り付けた後に、該装飾レンズ体の側方部前面を呼出装置の両側部に着脱自在に装着される呼出表示部で被覆当接するように呼出装置の表示本体部の取付部を幕板領域に取り付けたので、呼出装置が大型化して重量が増加しても、呼出装置の表示本体部に形成される取付部を幕板領域に直接取り付けることができるため、呼出装置の取り付けを充分堅固に行うことができる。また、装飾レンズ体の幕板領域への取り付けにおいても、装飾レンズ体の両側部が隣り合う呼出装置の呼出表示部によって、その前面が被覆当接するように取り付けられるので、呼出装置の幕板領域への取り付けさえ堅固に行えば、装飾レンズ体が幕板領域に自然に固定されることになり、幕板領域への呼出装置及び装飾レンズ体の取付作業の簡略化を図ることができる。更に、装飾レンズ体の両側部の前面が隣り合う呼出装置の呼出表示部によって被覆されると共に、呼出装置の呼出表示部が表示本体部に対して着脱自在に装着されるので、呼出表示部を交換することにより、装飾レンズ体を変更しなくても呼出装置と装飾レンズ体との組み合わせをバラエティのあるものとすることができる。
【００１０】
請求項２に記載の発明においては、装飾レンズ体と呼出装置とを、前面が開放された断面コ字状のベース枠部材に取り付けるようにしたので、ベース枠部材の断面コ字状の空間に発光源が設けられる基板や表示器の基板及び配線等を収納することができ、さらに、遊技機島台の内部で発生する埃や塵等が呼出装置や装飾レンズ体の裏面に付着することを抑制することができる。
【００１１】
請求項３に記載の発明においては、呼出装置と装飾レンズ体とをベース枠部材に取り付けたときに、呼出表示部の軸支側と反対の先端部分が装飾レンズ体の前面に押圧されるように付勢されて当接するので、装飾レンズ体のベース枠部材への取付状態をより堅固に固定することができる。
【発明を実施するための最良の形態】
【００１２】
以下、図面を参照して本発明の実施の形態について説明する。まず、図１を参照して実施形態に係る遊技機島台１の構成について説明する。図１は、遊技機島台１の前面側に構成を示す斜視図である。
【００１３】
図１において、遊技機島台１は、例えば、遊技機としてのパチンコ機２を横方向に複数台設置できるように縦桟や横桟を枠組みすることにより構成されている。なお、遊技機島台１に設置される遊技機が図示のようにパチンコ機２である場合には、多くの場合、パチンコ機２の間に玉貸機３が挟持されるように設置される。もちろん、遊技機島台に設置される遊技機として、パチンコ機に限られることはなく、スロットマシン等の遊技機でも良い。
【００１４】
また、パチンコ機２の上方には、本実施例の要部を構成する幕板領域１６（図２参照）に取り付けられる幕板５が設けられ、その幕板５の上方に欄間４が上部を蝶番４ａ（図６参照）で支持することにより開閉自在に設けられている。欄間４は、遊技機島台１の内部上方にパチンコ機２や玉貸機３に玉を供給するために傾斜して設けられる補給樋８（図６参照）で玉詰まり等が発生した場合に、開放して玉詰まり等のトラブルを解消することができるようになっている。また、パチンコ機２の下方には、遊技機島台１に対して水平方向に突出するカウンター台６が設けられ、そのカウンター台６の下方が腰板７によって被覆されている。
【００１５】
次に、図２及び図３を参照して、幕板５が設けられる幕板領域１６の構成について説明する。図２は、遊技機島台１の幕板領域１６と該幕板領域１６に取り付けられる幕板５を構成する各種部品との関係を示す分解斜視図であり、図３は、幕板領域１６とベース枠部材２０との関係を示す拡大図である。
【００１６】
遊技機島台１は、前述したように、横桟と縦桟（「支柱」と言われるものもある）とを枠組みして構成されるものであるが、図示の実施形態の場合には、パチンコ機２の上部が当接するパチンコ機取付横桟１０の上面に適宜間隔で立設される上部縦桟１１に、中横桟１２と上横桟１３とが水平方向に差し渡され、上横桟１３に前記欄間４が蝶番４ａで軸支され、その軸支された欄間４の下端が中横桟１２の中程に当接するようになっている。そして、パチンコ機取付横桟１０と中横桟１２との間の横方向の空間が幕板５を取り付けるための幕板領域１６となっている。また、図６及び図７に示すように、パチンコ機取付横桟１０の上面と前面と下面とが金属板１７（ステンレス板）によって被覆され、中横桟１２の前面が後述するベース枠部材２０を取り付ける際に使用される係合金属板１８によって被覆されている。この係合金属板１８は、止め釘１９によってその上部が固定されるようになっている。なお、前記上部縦桟１１及びパチンコ機取付横桟１０は、遊技機島台１の骨組みを構成する縦支柱１４及び横支柱１５のうち、縦支柱１４に接着固定されている。
【００１７】
上記した幕板領域１６に取り付けられる幕板５は、図２に示すように、幕板領域１６に直接的に取り付けられるベース枠部材２０と、該ベース枠部材２０に取り付けられる上部装飾レンズ体５０、装飾レンズ体６０、呼出装置７０と、から構成されている。また、ベース枠部材２０には、上記した上部装飾レンズ体５０と装飾レンズ体６０を照射するための発光源としてのＬＥＤを複数個具備したＬＥＤ基板４５ａ，４５ｂが着脱自在に取り付けられるようになっている。以下、幕板５を構成する各部材について詳細に説明する。
【００１８】
まず、ベース枠部材２０について図３乃至図１０を参照して説明する。図３は、前述した通りであり、図４は、ベース枠部材２０と上部装飾レンズ体５０、装飾レンズ体６０、呼出装置７０との関係を示す斜視図であり、図５は、ベース枠部材２０に上部装飾レンズ体５０、装飾レンズ体６０、呼出装置７０を取り付けた状態の正面図であり、図６は、ベース枠部材２０に上部装飾レンズ体５０、装飾レンズ体６０、呼出装置７０を取り付けた状態の装飾レンズ体６０部分で切断した断面図であり、図７は、図６の幕板５部分を拡大した断面図であり、図８は、ベース枠部材２０に上部装飾レンズ体５０、装飾レンズ体６０、呼出装置７０を取り付けた状態の平面図であり、図９は、ベース枠部材２０の拡大部分図であり、図１０は、ベース枠部材２０の拡大正面図である。
【００１９】
図９において、ベース枠部材２０は、合成樹脂材によって、後面の閉塞板部２１と該閉塞板部２１の上辺及び下辺に突設される上辺板部２２と下辺板部２３とによって前面が開放された断面コ字状に形成され、上辺板部２２に近い位置に該上辺板部２２と平行に区画板部２４が突設されている。上辺板部２２は、下辺板部２３に比べてやや長く形成され、下辺板部２３は、区画板部２４よりもやや長く形成されている。そして、上辺板部２２と区画板部２４との間の空間が上部装飾領域２５を形成しており、その上部装飾領域２５の前面開放部が呼出装置７０の上方部分と上部装飾レンズ体５０との交互配置によって閉塞するように覆われている。また、区画板部２４と下辺板部２３との間の空間が呼出表示領域２６を形成しており、その呼出表示領域２６の前面開放部が装飾レンズ体６０と呼出装置７０との交互配置によって閉塞するように覆われている。
【００２０】
また、上辺板部２２の外側面（上面）には、図７及び図９に示すように、上部装飾レンズ体５０の後述する突部５３が係合する円弧状の第１係合凹部２７と、呼出装置７０の後述する係合突起７９が係合する逆歯状の第２係合凹部２８と、前記中横桟１２に固定される係合金属板１８の下端が挿入係合される係合溝部２９と、がそれぞれ形成されている。同じく図７及び図９に示すように、下辺板部２３の内側面には、呼出装置７０の後述する係合凹部８１（図１５参照）や、装飾レンズ体６０の係合凹部６８が係合する三角形状の係合凸部３０が突設されている。更に、図７及び図９に示すように、区画板部２４は、その前端形状が段差状の当接段差部３１となって上部装飾レンズ体５０の下辺の先端の段差部５５と重合当接するようになっていると共に区画板部２４の下面には、装飾レンズ体６０の上辺板６１の外側面に形成される係合凹部６８と係合する係合凸部３２が突設されている。
【００２１】
上記した上部装飾領域２５には、上辺板部２２及び区画板部２４に近い位置に、複数のＬＥＤランプ４６を具備したＬＥＤ基板４５ａを着脱自在に取り付けるためのＬＥＤ基板係止片３３（底面である閉塞板部２１には、当該係止片３３を形成するための成型穴が形成されるが、この成型穴を介して上部装飾領域２５の内部空間内の空気が入れ代わるようになっている。）が適宜間隔を置いて突設形成されている。そして、ＬＥＤ基板係止片３３の間には、ＬＥＤ基板４５ａの裏面と当接する当接片３４が突設されている。また、上部装飾領域２５の底面（閉塞板部２１）には、配線通し穴３５が適宜間隔を置いて形成されている。しかして、上部装飾領域２５の上下方向の寸法は、図５に示すように、ＬＥＤ基板４５ａの上下幅寸法よりも若干大きな寸法に設計され、上部装飾レンズ体５０によって閉塞される上部装飾領域２５に複数（図５の場合には、２個）のＬＥＤ基板４５ａが配置されるようになっている。このＬＥＤ基板４５ａの配線は、後に詳述する表示部用制御基板８２に設けられるＬＥＤ用コネクタ８３に接続されるものである。また、本実施形態において、上部装飾領域２５に設けられるＬＥＤ基板４５ａのＬＥＤランプ４６は、各種の遊技状態に応じて点灯又は点滅されるものではなく、主として遊技機島台１の上部における照明用としての機能を奏するように点灯又は点滅制御されるものであり、例えば、遊技機島台１の上部の全長に亘って１本の照明ラインが上部装飾レンズ体５０によって表示されるように照明されるものである。もちろん、その照明ラインが所定時間毎（例えば、１時間毎）に色を変化させることができるようにＬＥＤランプ４６を複数色発光ＬＥＤとしてもよく、更には、遊技状態に応じて照明態様を変化させても良い。
【００２２】
また、呼出表示領域２６には、その中程の底面（閉塞板部２１）に、複数のＬＥＤランプ４６を具備したＬＥＤ基板４５ｂを着脱自在に取り付けるためのＬＥＤ基板係止片３６が適宜間隔を置いて突設形成されている。そして、ＬＥＤ基板係止片３６の間には、ＬＥＤ基板４５ｂの裏面と当接する当接片３７が突設されている。また、ＬＥＤ基板４５ｂに接続される配線４７は、図５及び図１５に示すように、それぞれ隣接する呼出装置７０の後述するＬＥＤ駆動基板８８のＬＥＤ用コネクタ８９に接続されるようになっている。そして、この呼出表示領域２６に設けられるＬＥＤ基板４５ｂの前面は、装飾レンズ体６０によって被覆されるようになっている。
【００２３】
また、ＬＥＤ基板係止片３６の上方には、熱逃がし用の開口４０が形成されている。この開口４０は、多角形の一種である方形状に形成され、図１０（Ａ）に示すように、当該開口４０の開口縁と連結部３９で連結されたほぼ方形状の切断板３８で開口領域のほとんどが閉塞された状態となっており、切断板３８の外周縁と当該開口４０の開口縁との間に形成される溝状開口が通常時に熱逃がし用の開口として利用されるものである。一方、図１０（Ｂ）に示すように、連結部３９を切断して切断板３８を取り除いた状態では、開口４０の全域が貫通した開口４０となり、この開口４０が後に詳述する呼出装置７０に接続される配線８５を通す配線通し用の開口４０として利用されるものである。なお、本実施形態においては、開口４０の開口縁と切断板３８を連結する連結部３９は、当該開口４０の底辺縁を除く位置で且つ方形状の辺のほぼ中央部分において連結されるように形成されている。このため、熱逃がし用の開口４０を配線通し用の開口４０として利用するために連結部３９を切断しても、配線が接触する開口４０の底辺縁に連結部３９の切断跡が残らないので、配線８５を傷つけるということはないし、仮に、僅かに残る連結部３９の切断跡を図１０（Ｃ）に示すように取り除く場合には、連結部３９の切断跡をヤスリ等の工具できれいに取り除く作業が行いやすいという利点がある。
【００２４】
一方、呼出表示領域２６のＬＥＤ基板係止片３６の下方には、複数の孔からなる空気取込孔４１が適宜間隔を置いて形成されている。この空気取込孔４１の各々の孔は、詳細に図示しないが、その孔径が呼出表示領域２６側が大きく遊技機島台１の内部側が小さくなるような円錐裁頭状に形成されており、遊技機島台１の内部空間の空気を呼出表示領域２６の内部空間に取り込みやすい設計となっている。そして、下方に位置する空気取込孔４１から呼出表示領域２６の内部に取り込んだ空気が上方に位置する前記開口４０から再度遊技機島台１の内部に吐き出され、呼出表示領域２６の内部空間の温度の上昇した空気を外部に吐き出すことができるようになっている。なお、空気取込孔４１の下方には、ベース枠部材２０を成型する際に必要となる成型用開口４２が適宜間隔を置いて形成されるが、この成型用開口４２は、ベース枠部材２０に装飾レンズ体６０を装着したときに、装飾レンズ体６０の後端部に内側に折曲される当接片６７によって閉塞されるようになっている。
【００２５】
上記のように構成されるベース枠部材２０を遊技機島台１の幕板領域１６に取り付けるには、図６及び図７に示すように、パチンコ機取付横桟１０と中横桟１２との間にベース枠部材２０の閉塞板部２１の裏面が上部縦桟１１の前面に当接するまで挿入し、その後、欄間４を開放した状態で、中横桟１２の前面に沿って係合金属板１８を上方から差し込み、係合金属板１８の下端をベース枠部材２０の上辺板部２２の上面に形成される係合溝部２９に係合させる。その状態で係合金属板１８の上部を止め釘１９で固定する。また、必要に応じて、図３に示すように、ベース枠部材２０の閉塞板部２１の前面から上部縦桟１１にビス４３を使用して止めるようにしても良い。このベース枠部材２０の遊技機島台１への取り付けは、ベース枠部材２０に上部装飾レンズ体５０、装飾レンズ体６０、呼出装置７０を取り付ける前に行う。
【００２６】
次に、上記したベース枠部材２０の上部装飾領域２５の前面開放部を閉塞するように取り付けられる上部装飾レンズ体５０について、図４及び図７を参照して説明する。上部装飾レンズ体５０は、透過性のある合成樹脂素材によって、前面板部５１と、該前面板部５１の上辺端で後方に延設される挟持板部５２と、前面板部５１の下辺端で後方に延設される下辺板部５４と、によって断面コ字状に形成されるものであり、上部の挟持板部５２は、前記ベース枠部材２０の上辺板部２２の前方部を挟持するように上下に２枚突設されている。そして、２枚の挟持板部５２の上部の挟持板部５２の下面には、前述したようにベース枠部材２０の第１係合凹部２７と係合する突部５３が突設されている。また、下辺板部５４の先端も、前述したようにベース枠部材２０の区画板部２４の当接段部３１と当接するように段差部５５が形成されている。しかして、上記のように構成される上部装飾レンズ体５０は、上部装飾領域２５の内部空間に設けられるＬＥＤ基板４５ａのＬＥＤランプ４６に照射されて、前述したように、主として遊技機島台１の上部における照明用としての機能を奏するように点灯又は点滅制御されるものであり、例えば、遊技機島台１の上部の全長に亘って１本の照明ラインが上部装飾レンズ体５０によって表示されるように照明されるものである。
【００２７】
次に、ベース枠部材２０の呼出表示領域２６の前面開放部を覆う装飾レンズ体６０の構成について、図４乃至図８及び図１６を参照して説明する。なお、図１６は、ベース枠部材２０に上部装飾レンズ体５０及び装飾レンズ体６０を取り付けた状態の断面図である。
【００２８】
図７において、装飾レンズ体６０は、合成樹脂製の上辺板６１と下辺板６２との前方に透過性合成樹脂で形成された前面レンズ板６３を嵌合接着して後方が開放した断面コ字状に形成されるものである。また、上辺板６１と下辺板６２の内側面ほぼ中央には、透過性合成樹脂で形成された傾斜レンズ板６４を斜めに挟持する挟持片６６が突設されている。この挟持片６６に挟持される傾斜レンズ板６４は、その基部が挟持片６６に挟持固定されると共に、その先端が前面レンズ板６３にほぼ当接するように設けられるもので、上下から斜め方向に延びた傾斜レンズ板６４の先端部分には、隙間６５が形成されている。また、装飾レンズ体６０の上下辺板６１，６２の後端部は、ベース枠部材２０に装着したときに、該ベース枠部材２０の閉塞板部２１と当接する当接片６７が内側向きに突設され、更に、上下辺板６１，６２の外側面に、ベース枠部材２０の区画板部２４の係合凸部３２や、下辺板部２３の係合凸部３０と係合する係合凹部６８が形成されている。
【００２９】
上記のように構成される装飾レンズ体６０において、呼出表示領域２６の内部空間に設けられたＬＥＤ基板４５ｂのＬＥＤランプ４６によって照射されたときには、隙間６５部分から透過する光量の方がその上下の傾斜レンズ板６４と前面レンズ板６３とが重複する部分を透過する光量よりも、断然多くなるので、装飾レンズ体６０を前方から見たときに、前面レンズ板６３のほぼ中央に水平線状のラインが明るく表示され、その水平線状のラインの上下が薄明るく表示されるように視認される。これは、傾斜レンズ板６４を省略して前面レンズ板６３だけをＬＥＤランプ４６で照射した場合に、前面レンズ板６３の全体が薄明るく表示されるよりも、前面レンズ板６３の中央部分を重点的に照射する方が遊技者や店員等に装飾効果を強く訴えることができるからである。なお、この呼出表示領域２６に設けられるＬＥＤ基板４５ｂのＬＥＤランプ４６は、遊技状態に応じた点灯又は点滅を実行するように制御されるものである。
【００３０】
更に、ベース枠部材２０に取り付けられる呼出装置７０の構成について図４、図５、図８、図１１乃至図１５を参照して説明する。なお、図１１は、呼出装置７０の正面斜視図（Ａ）であり、図１２は、呼出装置７０を構成する表示本体部７１と呼出表示部７２を分離した状態の正面斜視図であり、図１３は、呼出装置７０を構成する表示本体部７１と呼出表示部７２との着脱構造を示す拡大斜視図であり、図１４は、呼出装置７０の正面図（Ａ）と平面図（Ｂ）であり、図１５は、ベース枠部材２０に呼出装置７０を取り付けた状態での一部破断側面図である。
【００３１】
呼出装置７０は、遊技データ等を表示する表示器７３を備え且つ幕板領域１６に固定されるベース枠部材２０に取り付けるための取付部である上部固定片７８及び下部固定片８０が形成される表示本体部７１と、該表示本体部７１の左右側方から突出するように着脱自在に装着され且つ呼出時に点灯又は点滅する呼出表示部７２と、から構成されている。表示本体部７１は、合成樹脂製の方形状の枠に表示器７３（図示の場合には、ドットマトリックス表示器であるが、液晶表示器でも他の表示器でも良い。）が臨む窓が形成されており、その窓の両側方に表示内容を選択する選択ボタン７４と、表示内容を決定する決定ボタン７５と、トラブル時に遊技者が操作しえる呼出ボタン７６、及び当該呼出装置７０の下方に位置するパチンコ機２における遊技状態が大当りとなっている場合にその大当りとなった図柄を表示する大当り図柄表示部７７が形成されている。また、表示本体部７１の上方には、図１５に示すように、後方に向かって上部固定片７８が突設され、その上部固定片７８の後端部下面にベース枠部材２０の第２係合凹部２８と係合する係合突起７９が突設され、一方、表示本体部７１の下方には、同じく図１５に示すように、後方に向かって下部固定片８０が突設され、その下部固定片８０の下面にベース枠部材２０の係合凸部３０が係合する係合凹部８１が形成されている。そして、表示本体部７１をベース枠部材２０に取り付けたときには、ベース枠部材２０の上部装飾領域２５及び呼出表示領域２６の両方の前面開放部を覆うようになっている。
【００３２】
また、表示本体部７１には、上記した表示器７３が組み込まれるが、図１５に示すように、その表示器７３を表示駆動するための表示部用制御基板８２が後方側に取り付けられている。この表示部用制御基板８２には、前述した上部装飾領域２５に設けられるＬＥＤ基板４５ａを接続するためのＬＥＤ用コネクタ８３が設けられると共に、管理コンピュータや島内制御基板からの配線８５が接続されるための表示用コネクタ８４が設けられている。なお、配線８５は、前述した熱逃がし用の開口４０の切断板３８を取り除いた開口４０を介してベース枠部材２０の裏面側である遊技機島台１の内部に引き出されるようになっている。更に、表示本体部７１の裏面には、ＬＥＤ駆動基板８８が取り付けられている。このＬＥＤ駆動基板８８は、前述したように、装飾レンズ体６０に覆われるＬＥＤ基板４５ｂからの配線４７が接続されるＬＥＤ用コネクタ８９を有しており、また、内部的には前記表示部用制御基板８２に接続されて、表示部用制御基板８２からの信号に基づいてＬＥＤ基板４５ｂのＬＥＤランプ４６を表示制御するようになっている。
【００３３】
一方、表示本体部７１の両側方に突設するように着脱自在に装着される呼出表示部７２は、合成樹脂によって形成されているが、その内部には、図１４（Ｂ）に示すように、複数のＬＥＤランプが設けられるＬＥＤ基板８６が固定されている。このＬＥＤ基板８６は、配線８７によって前記表示部用制御基板８２に直接接続されている。また、呼出表示部７２は、図１４（Ａ）に示すように、光を透過する窓が上中下に３区分されているが、前記ＬＥＤ基板８６に設けられるＬＥＤランプは、中央の区分だけに対応するように設けても良いし、この３区分のそれぞれに対応するように設けても良い。
【００３４】
ところで、呼出表示部７２は、表示本体部７１に対して着脱自在に装着されるものであるが、その構造について図１２、図１３及び図８を参照して説明すると、図１２及び図１３に示すように、表示本体部７１の両側面壁には、取付支柱９０が縦方向に一体的に形成されている。取付支柱９０の周囲は、呼出表示部７２の次に説明する軸円筒部９５が挿入されて回転するための回転空間９１が形成されている。つまり、表示本体部７１の側面には、半円状の回転空間９１が凹設されて、その回転空間９１の縦方向中心に取付支柱９０が表示本体部７１と一体的に形成される構造となっている。また、回転空間９１より前側の表示本体部７１の側面壁には、平面視で断面形状が三角形の挿入空間９２が上下方向に形成されている。この挿入空間９２には、水平断面Ｌ字状に形成される板バネ９３が挿入されるものであり、図８（Ａ）に示すように、板バネ９３の一辺板部が三角形状の挿入空間９２の一辺面に当接して挿入したときに、板バネ９３の他辺板部が挿入空間９２から外側に飛び出すように板バネ９３が挿入空間９２に挿入されるものである。更に、本体表示部７１の前面両側には、呼出表示部７２の軸支側前面に形成される当接前面部９７と当接する当接突起９４が側方に飛び出すように突設されている。
【００３５】
一方、呼出表示部７２は、正面から見たときには方形状として視認できるが、平面視では直角三角形状に形成されている。そして、直角三角形の底辺の直角部に前記取付支柱９０に嵌合される軸円筒部９５が垂直方向に形成されている。軸円筒部９５には、前記取付支柱９０を軸円筒部９５内に嵌め込むための溝状空間である挿入溝９６が縦方向に形成されており、挿入溝９６部分を取付支柱９０の外周に宛がい、押し付けることにより軸円筒部９５が弾性変形して取付支柱９０を軸円筒部９５内に受け入れ、それによって呼出表示部７２が表示本体部７１の両側方に簡単に装着することができる。
【００３６】
また、表示本体部７１の取付支柱９０に呼出表示部７２の軸円筒部９５を回転自在に装着した状態では、図８（Ａ）に示すように、挿入空間９２に挿入された板バネ９３の他辺板部によって呼出表示部７２の直角三角形状の底辺面部と当接した状態であるため、呼出表示部７２の直角三角形状の直角部を挟む二辺が表示本体部７１の側面及び装飾レンズ体６０の前面に当接した状態となっていない。このため、呼出装置７０をベース枠部材２０に装着する際に、表示本体部７１の側面を装飾レンズ体６０の端部の間に装着し、さらに押し込んで表示本体部７１の上部固定片７８の係合突起７９及び下部固定片８０の係合凹部８１をそれぞれベース枠部材２０の第２係合凹部２８及び係合凸部３０に係合させると、図８（Ｂ）に示すように、呼出表示部７２が板バネ９３の付勢力に抗して回動し、遂には、呼出表示部７２の直角三角形状の直角部を挟む二辺が表示本体部７１の側面及び装飾レンズ体６０の前面に当接した状態となる。この状態においては、呼出表示部７２の軸支側と反対の先端部分が装飾レンズ体６０の前面に押圧されるように付勢されて当接している。このため、装飾レンズ体７０のベース枠部材２０への取付状態をより堅固に固定することができるものである。なお、呼出表示部７２の直角三角形状の直角部を挟む二辺が表示本体部７１の側面及び装飾レンズ体６０の前面に当接した状態においては、表示本体部７２の両側方前面に突設される当接突起９４によって呼出表示部７２の軸支側前面の当接前面部９７が被覆されるので、表示本体部７１と呼出表示部７２との境目を前方から区別して視認できないようにしている。
【００３７】
また、呼出表示部７２を表示本体部７１から取り外すには、表示本体部７１の上部固定片７８の係合突起７９とベース枠部材２０の第２係合凹部２８との係合を外しながら、表示本体部７１を前方に引き出すことにより、呼出装置７０をベース枠部材２０から取り外し、その取り外した状態で呼出表示部７２を外側に引っ張って挿入溝９６から取付支柱９０を引き出し、取付支柱９０と軸円筒部９５との軸支状態を解除する。これによって、呼出表示部７２と表示本体部７１とを分離することができる。このように分離して、表示本体部７１に、例えば、図５に示すように、呼出表示部７２と形状や外観の異なる呼出表示部７２ａ，７２ｂを取り付け、ベース枠部材２０に装着することにより、幕板５の遊技者や店員に与える印象を異ならせることができる。
【００３８】
また、表示本体部７１は、呼出装置７０を側方から見たとき、呼出表示部７２よりも前方に突出しており、また、その後端面は、呼出表示部７２の後端面よりも後方位置となり、また、呼出表示部７２の上下方向の寸法は、前記装飾レンズ体６０の上下方向幅寸法と同じである。そして、呼出表示部７２の後端面には、呼出表示部７２を取り付けるための取付部は形成されていない。
【００３９】
上記のように構成される呼出装置７０をベース枠部材２０に取り付けるには、図４に示すように、ベース枠部材２０に上部装飾レンズ体５０と装飾レンズ体６０とが取り付けられた状態で、左右のベース枠部材２０の隙間に呼出装置７０の表示本体部７１を挿入して上部固定片７８の係合突起７９をベース枠部材２０の第２係合凹部２８に係合させると共に、下部固定片８０の係合凹部８１をベース枠部材２０の係合凸部３０に係合させることにより、呼出装置７０をベース枠部材２０に極めて簡単に装着することができる。そして、呼出装置７０をベース枠部材２０に装着した状態では、図４及び図８（Ｂ）に示すように、呼出装置７０の呼出表示部７２が、装飾レンズ体６０の前面を被覆当接した状態で配置され且つ装飾レンズ体６０の端部が呼出装置７０の表示本体部７１の両側面にほぼ当接した状態となっている。
【００４０】
以上のように、本実施形態においては、呼出装置７０と装飾レンズ体６０とを幕板領域６のベース枠部材２０に取り付けるに際し、装飾レンズ体６０を取り付けた後に、該装飾レンズ体６０の側方部前面を呼出装置７０の両側部に着脱自在に装着される呼出表示部７２で被覆当接するように呼出装置７０の表示本体部７１の取付部である上部固定片７８及び下部固定片８０をベース枠部材２０に取り付けたので、呼出装置７０が大型化して重量が増加しても、呼出装置７０の表示本体部７１に形成される上部固定片７８及び下部固定片８０をベース枠部材２０に直接取り付けることができるので、呼出装置７０の取り付けを充分堅固に行うことができる。また、装飾レンズ体６０のベース枠部材２０への取り付けにおいても、装飾レンズ体６０の両側部が隣り合う呼出装置７０の呼出表示部７２によって、その前面が被覆当接するように取り付けられるので、呼出装置７０のベース枠部材２０への取り付けさえ堅固に行えば、装飾レンズ体６０がベース枠部材２０に自然に固定されることになり、ベース枠部材２０への呼出装置７０及び装飾レンズ体６０の取付作業の簡略化を図ることができる。更に、装飾レンズ体６０の両側部の前面が隣り合う呼出装置７０の呼出表示部７２によって被覆されると共に、呼出装置７０の呼出表示部７２が表示本体部７１に対して着脱自在に装着されるので、呼出表示部７２を交換することにより、装飾レンズ体６０を変更しなくても呼出装置７０と装飾レンズ体６０との組み合わせをバラエティのあるものとすることができる。
【００４１】
また、本実施形態においては、装飾レンズ体６０と呼出装置７０とを、前面が開放された断面コ字状のベース枠部材２０に取り付けるようにしたので、ベース枠部材２０の断面コ字状の空間にＬＥＤランプ４６が設けられるＬＥＤ基板４６や表示器７３の表示部用制御基板８２及び配線８５等を収納することができ、さらに、遊技機島台１の内部で発生する埃や塵等が呼出装置７０や装飾レンズ体６０の裏面に付着することを抑制することができる。
【００４２】
更に、本実施形態においては、呼出装置７０と装飾レンズ体６０とをベース枠部材２０に取り付けたときに、呼出表示部７２の軸支側と反対の先端部分が装飾レンズ体６０の前面に押圧されるように付勢されて当接するので、装飾レンズ体６０のベース枠部材２０への取付状態をより堅固に固定することができる。
【００４３】
なお、上記した実施形態においては、ベース枠部材２０の内部が区画板部２４によって上部装飾領域２５と呼出表示領域２６とに区画されたものを示したが、これらが区画されることなく１つの呼出表示領域とされていても良いし、逆に、複数の装飾領域と１つの呼出表示領域に区画されるものでも良い。また、開口４０として、方形状のものを示したが、円形状のものでも良い。
【図面の簡単な説明】
【００４４】
【図１】遊技機島台の前面側に構成を示す斜視図である。
【図２】遊技機島台の幕板領域と該幕板領域に取り付けられる幕板を構成する各種部品との関係を示す分解斜視図である。
【図３】幕板領域とベース枠部材との関係を示す拡大図である。
【図４】ベース枠部材と上部装飾レンズ体、装飾レンズ体、呼出装置との関係を示す斜視図である。
【図５】ベース枠部材に上部装飾レンズ体、装飾レンズ体、呼出装置を取り付けた状態の正面図である。
【図６】ベース枠部材に上部装飾レンズ体、装飾レンズ体、呼出装置を取り付けた状態の装飾レンズ体部分で切断した断面図である。
【図７】図６の幕板部分を拡大した断面図である。
【図８】ベース枠部材に上部装飾レンズ体、装飾レンズ体、呼出装置を取り付けた状態の平面図である。
【図９】ベース枠部材の拡大部分図である。
【図１０】ベース枠部材の拡大正面図である。
【図１１】呼出装置の正面斜視図（Ａ）である。
【図１２】呼出装置を構成する表示本体部と呼出表示部を分離した状態の正面斜視図である。
【図１３】呼出装置を構成する表示本体部と呼出表示部との着脱構造を示す拡大斜視図である。
【図１４】呼出装置の正面図（Ａ）と平面図（Ｂ）である。
【図１５】ベース枠部材に呼出装置を取り付けた状態での一部破断側面図である。
【図１６】ベース枠部材に上部装飾レンズ体及び装飾レンズ体を取り付けた状態の断面図である。
【符号の説明】
【００４５】
１  遊技機島台
２  パチンコ機（遊技機）
５  幕板
１０  パチンコ機取付横桟
１２  中横桟
１６  幕板領域
２０  ベース枠部材
２１  閉塞板部
２２  上辺板部
２３  下辺板部
２４  区画板部
２５  上部装飾領域
２６  呼出表示領域
２７  第１係合凹部
２８  第２係合凹部
２９  係合溝部
３０  係合凸部
３８  切断板
３９  連結部
４０  開口（熱逃がし用の開口、配線通し用の開口）
４１  空気取込孔
４５ａ，４５ｂ  ＬＥＤ基板
４６  ＬＥＤランプ（発光源）
５０  上部装飾レンズ体
６０  装飾レンズ体
７０  呼出装置
７１  表示本体部
７２  呼出表示部
７３  表示器
７８  上部固定片（取付部）
８０  下部固定片（取付部）
９０  取付支柱
９３  板バネ
９５  軸円筒部
９６  挿入溝
【図１】
2008113884.tif 000003
【図２】
2008113884.tif 000004
【図３】
2008113884.tif 000005
【図４】
2008113884.tif 000006
【図５】
2008113884.tif 000007
【図６】
2008113884.tif 000008
【図７】
2008113884.tif 000009
【図８】
2008113884.tif 000010
【図９】
2008113884.tif 000011
【図１０】
2008113884.tif 000012
【図１１】
2008113884.tif 000013
【図１２】
2008113884.tif 000014
【図１３】
2008113884.tif 000015
【図１４】
2008113884.tif 000016
【図１５】
2008113884.tif 000017
【図１６】
2008113884.tif 000018